(57)【要約】【課題】面間寸法の調整・固定が可能であり、したがって、煩雑な工事を不要にして既設の弁の修理や既設の弁から新しい弁への更新を容易に行なうことができる弁を提供する。【解決手段】筒状弁箱３の軸方向の一端部に、ルーズフランジ６を、ゴムなどの弾性材によってなるシールリング７により気密を保持して軸線Ｃ１方向の進退移動を可能に外嵌する。そして、複数本の押しボルト１１によるリング体９の径内方向への押し付け力（押圧力）を加減することで、実線で示すルーズフランジ６の位置を二点鎖線で示す位置や一点鎖線で示す位置に移動させ得る状態またはこれらの位置でルーズフランジ６を軸方向への進退移動を不能に固定した状態を選択できるようにしてある。【選択図】        図１
2004232744.tif 000002
【特許請求の範囲】
【請求項１】
弁体が軸方向の両端部を開口した筒状弁箱の軸線に交差する軸線を有する弁棒に取付けられて該筒状弁箱に収容され、前記弁棒の作動に追従して筒状弁箱を開通・遮断できるように構成した弁において、前記筒状弁箱の軸方向の少なくとも一端部に気密を保持して該軸方向の進退移動を可能に組み付けられたルーズフランジと、このルーズフランジと前記筒状弁箱の間に介在するリング体と、このリング体を半径方向内側に押し付け可能な押しボルトとを備え、前記リング体の内周部に前記押しボルトの押圧により前記筒状弁箱の軸方向の少なくとも一端部とルーズフランジの両部材のうちで半径方向内側にある部材の外周部に喰い込み可能な突起が設けられていることを特徴とする弁。
【発明の詳細な説明】
【０００１】
【発明の属する技術分野】
本発明は、面間寸法の調整と固定が可能で、既設の弁の修理や既設の弁から新しい弁への更新を容易にした弁に関する。
【０００２】
【従来の技術】
上水、工業用水、農業用水などの給水配管系などに介設されている従来のバタフライ弁は、図３および図４に示すように、弁体１と、軸方向の両端部を開口してフランジ２，２を設けた筒状弁箱３と、この筒状弁箱３の軸線Ｃ１に交差する軸線Ｃ２を有する弁棒４とを備え、弁体１は弁棒４に取付けられて、該弁棒４の軸線Ｃ２まわりに回転可能に筒状弁箱３に収容されている。
【０００３】
バタフライ弁は、弁棒４を正逆方向に回転して、弁体１を全開位置と全閉位置の２位置で保持して使用される。つまり、弁体１を図４の全開位置に保持することで筒状弁箱３は開通され、図３の全閉位置に保持することで筒状弁箱３は遮断される（たとえば、特許文献１参照。）。
【０００４】
【特許文献１】
特開２００２−３４０２１１号公報（図４、図５）
【０００５】
【発明が解決しようとする課題】
ところが、前記従来のバタフライ弁は、フランジ２，２間の軸方向寸法、つまり、筒状弁箱２の面間寸法Ｌを調整する機能を有していない不変のものであるため、たとえば、給水配管５，５に介設されている既設のバタフライ弁が劣化して修理や更新を要求される場合、給水配管５，５側に面間調整機能が備わっていないと、給水配管５，５を切断し、これにルーズフランジを有する管継手を組付ける煩雑な工事が必要になるので、既設のバタフライ弁の修理や既設のバタフライ弁から新しいバタフライ弁への更新が困難であった。このことは、バタフライ弁のみならず仕切弁やボール弁などの他の弁類にもいえることである。
【０００６】
本発明は、このような事情を考慮してなされたもので、面間寸法の調整・固定が可能であり、したがって、煩雑な工事を不要にして既設の弁の修理や既設の弁から新しい弁への更新を容易に行なうことができる弁を提供することを目的としている。
【０００７】
【課題を解決するための手段】
前記目的を達成するために、本発明に係る弁は、弁体が軸方向の両端部を開口した筒状弁箱の軸線に交差する軸線を有する弁棒に取付けられて該筒状弁箱に収容され、前記弁棒の作動に追従して筒状弁箱を開通・遮断できるように構成した弁において、前記筒状弁箱の軸方向の少なくとも一端部に気密を保持して該軸方向の進退移動を可能に組み付けられたルーズフランジと、このルーズフランジと前記筒状弁箱の間に介在するリング体と、このリング体を半径方向内側に押し付け可能な押しボルトとを備え、前記リング体の内周部に前記押しボルトの押圧により前記筒状弁箱の軸方向の少なくとも一端部とルーズフランジの両部材のうちで半径方向内側にある部材の外周部に喰い込み可能な突起が設けられていることを特徴としている。
【０００８】
本発明によれば、押しボルトによるリング体の径内方向への押し付け力を加減することで、ルーズフランジと筒状弁箱を軸方向に相対的に進退移動させ得る状態または軸方向への相対的な進退移動を不能に固定した状態を選択することができる。すなわち、押しボルトによるリング体の径内方向への押し付け力を小さくすることにより、筒状弁箱の軸方向の少なくとも一端部とルーズフランジの両部材のうちで半径方向内側にある部材の外周部に対するリング体内周部の突起の喰い込みが解除されて、ルーズフランジを筒状弁箱の軸方向に進退移動させ、ルーズフランジが筒状弁箱の軸方向の端面から突出する長さ（突出量）を調整することによって、筒状弁箱の面間寸法を調整することができるので、ルーズフランジを有する管継手を既設配管に組付ける煩雑な工事を不要にして、既設弁の修理や既設弁から新しい弁への更新を容易に行なうことができる。また、押しボルトによるリング体の径内方向への押し付け力を大きくすることにより、リング体内周部の突起が筒状弁箱の軸方向の少なくとも一端部とルーズフランジの両部材のうちで半径方向内側にある部材の外周部に喰い込んで、ルーズフランジが筒状弁箱の軸方向に進退移動するのを不能に固定することができる。
【０００９】
【発明の実施の形態】
以下、本発明の一実施の形態を図面に基づいて説明する。図１は本発明の一実施の形態を一部破断して示す側面図、図２は要部の拡大断面図である。なお、図３および図４で説明した従来例と同一もしくは相当部分には、同一符号を付して説明する。
【００１０】
図１および図２において、バタフライＶは、弁体１と、軸方向の両端部を開口して片方側にのみフランジ２を設けた筒状弁箱３と、この筒状弁箱３の軸線Ｃ１に交差する軸線Ｃ２を有する弁棒４とを備え、弁体１は弁棒４に取付けられて、該弁棒４の軸線Ｃ２まわりに回転可能に筒状弁箱３に収容されている。
【００１１】
筒状弁箱３の軸方向の一端部には、ルーズフランジ６がゴムなどの弾性材によってなるシールリング７により気密を保持されて軸線Ｃ１方向の進退移動を可能に外嵌され、筒状弁箱３の軸方向の端面３Ａからの突出量ｌの調整を可能に筒状弁箱３に取付けられている。
【００１２】
ルーズフランジ６におけるフランジ部６Ａの反対側の内周部には、筒状弁箱３の軸線Ｃ１に対して軸方向の端面３Ａから離れる方向の傾斜角θを有して交差する傾斜軸線Ｃ３に平行な対向内面８Ａ，８Ｂと傾斜軸線Ｃ３に直交する奥面８Ｃとを備えた角形断面の環状溝８が凹設され、この環状溝８には、筒状弁箱３を取り巻くとともに半径方向の拡縮可能な金属製のリング体９が嵌合されている。金属製のリング体９の内周面は筒状弁箱３の軸線Ｃ１に平行に形成されており、軸線Ｃ１方向の両端部に筒状弁箱３の軸方向の一端部の外周部に喰い込み可能な爪状の突起９Ａ，９Ｂが設けられている。また、両側面９Ｃ，９Ｄは環状溝８の対向内面８Ａ，８Ｂに平行に形成され、外周面９Ｅは環状溝８の奥面８Ｃに平行に形成されている。
【００１３】
一方、ルーズフランジ６におけるフランジ部６Ａの反対側には、前記傾斜軸線Ｃ３を有する多数個の貫通ねじ孔１０，１０…（ただし、図２には二つのねじ孔１０，１０のみが示されている）が環状溝８に連通し、かつ円周方向に所定の間隔を隔てて設けられ、これら貫通ねじ孔１０，１０…に押しボルト１１を螺合して、その先端をリング体９の外周面９Ｅに当接させてある。図中１２は締結用のロックナットを示す。
【００１４】
前記構成において、図２に示す複数本の押しボルト１１によるリング体９の径内方向への押し付け力（押圧力）を加減することで、実線で示すルーズフランジ６の位置を二点鎖線で示す位置や一点鎖線で示す位置に移動させ得る状態またはこれらの位置でルーズフランジ６を軸方向への進退移動を不能に固定した状態を選択することができる。
【００１５】
すなわち、複数の押しボルト１１の締め付けを緩めて、押しボルト１１によるリング体９の半径方向内側への押圧力を小さくすることにより、筒状弁箱３の軸方向の一端部の外周部に対するリング体９内周部の爪状の突起９Ａ，９Ｂの喰い込みが解除されて、ルーズフランジ６を筒状弁箱３の軸方向に進退移動させ、ルーズフランジ６が筒状弁箱３の軸方向の端面３Ａから突出する長さ（突出量）ｌをｌ１またはｌ２のように変化させて、筒状弁箱３の面間寸法ＬをＬ１またはＬ２のように調整することができる。このため、給水配管５，５に介設されている既設のバタフライ弁が劣化して修理や更新を要求される場合、給水配管５，５側に面間調整機能が備わっていなくても、給水配管５，５を切断してこれにルーズフランジを有する管継手を組付けるような煩雑な工事を行なうことなく、給水配管５，５から既設のバタフライ弁を取り外して、既設のバタフライ弁の修理あるいは既設のバタフライ弁から新しいバタフライ弁への更新を容易に行なうことができる。
【００１６】
一方、複数の押しボルト１１の締め付けを強くして、押しボルト１１によるリング体９の半径方向内側への押圧力を大きくすることにより、リング体９内周部の爪状の突起９Ａ，９Ｂが筒状弁箱３の軸方向の一端部の外周部に強く喰い込んで、ルーズフランジ６が筒状弁箱３の軸方向に進退移動するのを不能に固定することができる。押しボルト１１によるリング体９の半径方向内側への押圧力は、筒状弁箱３の軸線Ｃ１に対して軸方向の端面３Ａから離れる方向の傾斜角θを有して交差する傾斜軸線Ｃ３の方向に作用するので、押しボルト１１の押圧力を筒状弁箱３の軸線Ｃ１に直交して作用させるよりも、ルーズフランジ６が筒状弁箱３からの離脱するのを阻止する離脱阻止力を著しく高めて固定することができる。
【００１７】
なお、前記実施の形態では、筒状弁箱３の軸方向の一端部に、ルーズフランジ６がゴムなどの弾性材によってなるシールリング７により気密を保持されて軸線Ｃ１方向の進退移動を可能に外嵌されている構造で説明しているが、筒状弁箱３の軸方向の一端部に、ルーズフランジ６がゴムなどの弾性材によってなるシールリング７により気密を保持されて軸線Ｃ１方向の進退移動を可能に挿入されている構造であってもよい。
【００１８】
また、筒状弁箱３の軸方向の一端部に、ルーズフランジ６を、ゴムなどの弾性材によってなるシールリング７により気密を保持して軸線Ｃ１方向の進退移動可能に組み付けた構成で説明しているが、筒状弁箱３の軸方向の両端部に、ルーズフランジ６を、ゴムなどの弾性材によってなるシールリング７により気密を保持して軸線Ｃ１方向の進退移動可能に組み付けた構成であってもよい。
【００１９】
さらに、前記実施の形態では、バタフライ弁を用いて説明しているが、仕切弁やボール弁などの他の弁類にも適用することができる。
【００２０】
【発明の効果】
以上説明したように、本発明に係る弁は構成されているので、以下のような格別の効果を奏する。
【００２１】
すなわち、押しボルトによるリング体の径内方向への押し付け力（押圧力）を加減することで、ルーズフランジの位置を筒状弁箱の軸方向に進退移動させ、ルーズフランジが筒状弁箱の軸方向の端面から突出する長さ（突出量）を調整することによって、筒状弁箱の面間寸法を調整することができるので、既設の弁が劣化して修理や更新を要求される場合、給水配管側に面間調整機能が備わっていなくても、給水配管を切断してこれにルーズフランジを有する管継手を組付けるような煩雑な工事を行なうことなく、既設の弁の修理または既設の弁から新しい弁への更新を容易に行なうことができるとともに、ルーズフランジが筒状弁箱の軸方向に進退移動するのを不能に固定することができる。
【図面の簡単な説明】
【図１】本発明の一実施の形態を一部破断して示す側面図である。
【図２】要部の拡大断面図である。
【図３】従来例の縦断面図である。
【図４】図３のＡ−Ａ線断面図である。
【符号の説明】
１  弁体
３  筒状弁箱
４  弁棒
６  ルーズフランジ
９  リング体
１１  押しボルト
Ｃ１  筒状弁箱の軸線
Ｃ２  弁棒の軸線
【図１】
2004232744.tif 000003
【図２】
2004232744.tif 000004
【図３】
2004232744.tif 000005
【図４】
2004232744.tif 000006